(57)【要約】【課題】盗難防止機能が向上すると共に、標準規格のＤＶＤケース等とほぼ同じ大きさに形成されたＤＶＤ等の収納ケースを提供する。【解決手段】情報記録媒体が収納される本体部１２と蓋体１４とをヒンジ部１３を介して合体自在に形成し、前記本体部１２と蓋体１４とを合体させた後に、内部に挿入して合体状態をロックするロックプレート１５を備え、前記蓋体１４の内部には、係合部４２が形成され、前記ロックプレート１５には、前記係合部４２と係合可能な板バネ５２が設けられている情報記録媒体の収納ケース１１であって、前記本体部１２は、前記情報記録媒体の中央孔が嵌る一対の係止片１６、１６が下部側に撓むよう弾性をもって設けられていると共に、該係止片１６の下部には前記ロックプレート１５のプレート片４４が挿通する挿通部２３が設けられている。【選択図】図２
2007091261.tif 000002
【特許請求の範囲】
【請求項１】
情報記録媒体が収納される本体部と蓋体とをヒンジ部を介して合体自在に形成し、前記本体部と蓋体とを合体させた後に、内部に挿入して合体状態をロックするロックプレートを備え、
前記蓋体の内部には、係合部が形成され、
前記ロックプレートには、前記係合部と係合可能な板バネが設けられている情報記録媒体の収納ケースであって、
前記本体部は、前記情報記録媒体の中央孔が嵌る一対の係止片が下部側に撓むよう弾性をもって設けられていると共に、該係止片の下部には前記ロックプレートのプレート片が挿通する挿通部が設けられていることを特徴とする情報記録媒体の収納ケース。
【発明の詳細な説明】
【技術分野】
【０００１】
本発明は、ＤＶＤ（デジタル・ビデオ・ディスク）やＣＤ（コンパクト・ディスク）等の情報記録媒体を納める収納ケースに関するものであり、更に詳しくは、防犯タグを保持した状態でロック（施錠）しておくことができる収納ケースに関するものである。
【背景技術】
【０００２】
従来、この種の収納ケースとしては、次のような構成のものが知られている。この収納ケースは、ＤＶＤ等が収納される本体部と、この本体部の端部にヒンジ部によって折曲自在に設けられると共に本体部と合体する蓋体と、合体した本体部及び蓋体に嵌め合わせて合体状態をロックするホルダーとから構成される。また、ホルダーには、ロック機構が設けられている（特許文献１参照）。
【０００３】
ロック機構は、Ｕ字状の板バネと、この板バネによって突出状態が保持されるロック部材とから構成されている。ロック機構の解除は、強力な磁石を備えた特殊な解錠装置を用いて行い、この解錠装置の凹部にロック機構を挿入することにより、板バネを磁力で広げてロック部材との係合を解除する。
【特許文献１】特開２００４−１３１１２８号公報
【発明の開示】
【発明が解決しようとする課題】
【０００４】
この従来例の収納ケースにおいては、本体部及び蓋体に、ホルダーを嵌め合わせる部位を設ける必要があり、その結果、一般に市販される標準規格のＤＶＤケース等と比較して大型になるという欠点がある。
【０００５】
また、ロック機構を解除するための特殊な解錠装置を必要とするので、製造コストが割高になるという欠点も有している。
【０００６】
従って、従来例における収納ケースにおいては、一般に市販されている標準規格のＤＶＤケース等とほぼ同じ大きさに形成することと、特殊な解錠装置を必要としないで製造コストを低下させることとに解決しなければならない課題を有している。
【課題を解決するための手段】
【０００７】
前記従来例の課題を解決する具体的手段として本発明は、情報記録媒体が収納される本体部と蓋体とをヒンジ部を介して合体自在に形成し、前記本体部と蓋体とを合体させた後に、内部に挿入して合体状態をロックするロックプレートを備え、前記蓋体の内部には、係合部が形成され、前記ロックプレートには、前記係合部と係合可能な板バネが設けられている情報記録媒体の収納ケースであって、前記本体部は、前記情報記録媒体の中央孔が嵌る一対の係止片が下部側に撓むよう弾性をもって設けられていると共に、該係止片の下部には前記ロックプレートのプレート片が挿通する挿通部が設けられていることを特徴とする情報記録媒体の収納ケースを提供するものである。
【発明の効果】
【０００８】
本発明に係る収納ケースは、情報記録媒体が収納される本体部と蓋体とをヒンジ部を介して合体自在に形成し、前記本体部と蓋体とを合体させた後に、内部に挿入して合体状態をロックするロックプレートを備え、前記蓋体の内部には、係合部が形成され、前記ロックプレートには、前記係合部と係合可能な板バネが設けられている情報記録媒体の収納ケースであって、前記本体部は、前記情報記録媒体の中央孔が嵌る一対の係止片が下部側に撓むよう弾性をもって設けられていると共に、該係止片の下部には前記ロックプレートのプレート片が挿通する挿通部が設けられていることによって、特に、収納ケースの内部にロックプレートを挿入してロックする構造なので、従来例のようにホルダーを嵌め合わせる部位が必要ない。従って、従来例よりも小形で、一般に市販される標準規格のＤＶＤケース等とほぼ同様な大きさに形成できる。
また、収納ケースの外部から磁石を宛ててロックを解除する仕組みであり、従来例のように特殊な解錠装置を必要としないので、製造コストが低下する。
更に、ロックプレートのプレート片を挿通部から引き抜かないと、ＤＶＤ等を係止片から取り外せない構造なので、仮に収納ケースを破壊して無理矢理こじ開けたとしても、ＤＶＤだけを持ち去るのは困難であり、盗難防止機能が向上するというという種々の優れた効果を奏する。
【発明を実施するための最良の形態】
【０００９】
次に、本発明の実施の形態について図面を参照しながら説明する。まず、図１から図４において、符号１１は収納ケースを示し、この収納ケース１１は、ＤＶＤ等の円盤状情報記録媒体が収納される本体部１２と、この本体部１２の端部にヒンジ部１３によって折曲自在に設けられると共に本体部１２に被った状態で合体する蓋体１４と、合体した本体部１２及び蓋体１４の内部に挿入して合体状態をロックするロックプレート１５とから構成される。
【００１０】
本体部１２及び蓋体１４は、プラスチック等の合成樹脂材で形成されており、適度な剛性と弾性とを有していると共に、内部に収納したＤＶＤ等を外部から視認できるように透明又は半透明に形成されている。また、本体部１２及び蓋体１４の大きさは、所定規格のＤＶＤ等を収納できる所要の大きさである。
【００１１】
本体部１２のほぼ中央位置には、ＤＶＤ等の中央孔が嵌る一対の係止片１６、１６が設けられている。この係止片１６は、略扇状に形成されており、その縁部には円弧状の外周縁１７が形成されている。外周縁１７に沿った弧面には、図５及び図６に示すように、凹部１８が形成されており、この凹部１８に沿って、ＤＶＤ１９の中央孔の内周縁１９ａが係止できる構成になっている。
【００１２】
外周縁１７の下部は、弾性部２０に接続している。弾性部２０は、略扇状に形成されていると共に、段部２１を介して背面板２２に接続している。従って、係止片１６は、弾性部２０の存在によって下部側に撓むことができるようになっている。
【００１３】
また、係止片１６の下部には、後述するロックプレート１５のプレート片４４が挿通する挿通部２３が設けられている。
【００１４】
次に、ＤＶＤ１９の係止片１６への取付状態について説明する。係止片１６、１６を下部側に撓ませて、外周縁１７、１７同士の間隔を幅狭にした状態で、ＤＶＤ１９の内周縁１９ａを凹部１８に沿って係止させる（図５参照）。係止片１６、１６が上部側に復帰すると、外周縁１７、１７同士の間隔が元に戻り、凹部１８に沿って内周縁１９ａがピッタリと係止する。従って、ＤＶＤ１９を係止片１６から取り外すことができない（図６参照）。
ＤＶＤ１９を取り外すときには、係止片１６、１６を下部側に押圧して、外周縁１７、１７同士の間隔を幅狭にすれば、凹部１８から内周縁１９ａが外れることとなる。
【００１５】
更に、挿通部２３にロックプレート１５のプレート片４４を挿通させれば、このプレート片４４が邪魔板の役目を果たして、係止片１６を下部側に撓ませることができない（図６参照）。従って、ロックプレート１５のプレート片４４を挿通部２３から引き抜かない限り、ＤＶＤ１９を係止片１６から取り外せない構造であり、仮に収納ケース１１を破壊して無理矢理こじ開けたとしても、ＤＶＤ１９だけを取り外すことはできないのである。
【００１６】
また、本体部１２には、収納するＤＶＤ等の外周縁が沿う円形位置に凸条部２４が形成されている。この凸条部２４は、ＤＶＤ等を係止片１６に係止するときに案内部材の役目を果たすので、ＤＶＤ等を所定位置に容易に納めることができる。
【００１７】
本体部１２の両端には、側板２５、２６が設けられており、一方の側板２５に隣接した位置には、ロックプレート１５が挿通可能な隙間部２７が設けられている。
【００１８】
本体部１２のヒンジ部１３側に対向する端部には、天板２８が設けられている。この天板２８の内側には、フラットアーチ状の門部２９と門部３０とが所定の間隔をもって設けられている。門部２９及び門部３０は、後述するロックプレート１５のプレート長片４５が挿通可能なように構成されている。
【００１９】
蓋体１４のほぼ中央位置には、円形状の凸部３１が設けられており、凸部３１の外周縁が段部５３を介して正面板５４に連続している。この凸部３１は、本体部１２と蓋体１４とを合体させたときに、係止片１６に沿い、ＤＶＤ１９の係止状態を安定させる役目を果たす。
【００２０】
また、蓋体１４には、本体部１２の凸条部２４と対応する円形位置に、凸条部３２が形成されている。
【００２１】
蓋体１４の両端には、側板３３、３４が設けられており、一方の側板３３に隣接した位置には、ロックプレート１５が挿通可能な隙間部３５が設けられている。この隙間部３５は、本体部１２と蓋体１４とを合体させたときに、本体部１２の隙間部２７と重なり合うように構成されており、重なった状態の隙間部３５及び隙間部２７の外部からロックプレート１５が挿入される（図１参照）。
【００２２】
また、隙間部３５には、フラットアーチ状の小門部３６、３６…がそれぞれ所定の間隔を開けて４箇所に連設されている。この小門部３６、３６…は、後述するロックプレート１５のプレート短片４９、４９…が挿通可能である。
【００２３】
蓋体１４のヒンジ部１３側に対向する端部には、天板３７が設けられており、この天板３７には、切欠部３８が設けられている。
【００２４】
天板３７の内側近傍には、該天板３７から所定の隙間を開けてフラットアーチ状の門部３９及び門部４０が設けられている。また、門部３９と門部４０とは所定の間隔を開けて設けられている。門部３９及び門部４０は、本体部１２と蓋体１４とを合体させたときに、本体部１２の門部２９及び門部３０と互い違いに且つ一列に並ぶように構成されており、更に、後述するロックプレート１５のプレート長片４５が連続して挿通可能なように構成されている。
【００２５】
また、天板３７の内側近傍には、該天板３７から所定の隙間を開けて角柱状の柱体４１が設けられており、この柱体４１の両端部には、鋭角状の係合部４２、４２が形成されている。この係合部４２、４２は、後述するロックプレート１５の板バネ５２、５２と係合するように構成されている。
【００２６】
次に、ロックプレート１５について説明する。ロックレート１５は、図７及び図８に示すように、板状に形成されると共に防犯タグ（図示せず）が貼着されるプレート本体４３と、このプレート本体４３の一端に延設されるプレート片４４と、プレート本体４３の他端に延設されるプレート長片４５と、プレート本体４３の基部側に設けられる基部板４６と、プレート本体４３の他端側に設けられる側板４７とを有する。
【００２７】
プレート片４４は、前述のように、本体部１２の挿通部２３に挿通されて邪魔板の役目を果たすので、係止片１６の下部側への撓みを阻止して、ＤＶＤ１９を係止片１６から取り外せないようにする。
【００２８】
プレート長片４５は、段差部４８を介して延設されており、このプレート長片４５が蓋体１４の門部３９、門部４０、及び本体部１２の門部２９、門部３０を連続して挿通する。この場合、蓋体１４の門部３９、門部４０と、本体部１２の門部２９、門部３０とは、互い違いに位置するので、収納ケース１１の開成が阻止されることとなる。
【００２９】
基部板４６は、図７に示すように、一方の縁部に沿ってプレート短片４９、４９…が所定の間隔を開けて４箇所に連設されている。このプレート短片４９、４９…が、蓋体１４の小門部３６、３６…に挿通する。
【００３０】
また、基部板４６には、図７及び図８に示すように、他方の縁部に沿ってＬ字状の係止部５０が形成されている。この係止部５０は、本体部１２の隙間部２７の端縁５１に係止される。従って、プレート短片４９が蓋体１４の小門部３６に挿通すると同時に、係止部５０が本体部１２の端縁５１に係止するので、収納ケース１１の開成が阻止されることとなる。
【００３１】
側板４７の内側には、所定の間隔を開けて、２本の板バネ５２、５２が設けられている。この板バネ５２の基部５２ａが側板４７に固定されており、先端部５２ｂが側板４７から離隔した状態で突出している。この先端部５２ｂが、蓋体１４の係合部４２と係合するようになっており、ロックプレート１５の引き抜きが阻止される。
【００３２】
板バネ５２と係合部４２との係合状態を解除するときには、天板３７の外部から図示しない磁石を宛てて、先端部５２ｂの突出状態を側板４７側に吸着させる。そして、ロックプレート１５を収納ケース１１の外部に引き抜けばよく、収納ケース１１の開成が可能になる。
【００３３】
次に、図９に他の実施例に係る板バネ５５を示す。この板バネ５５は、先端部５５ｂがコ字状に形成されている。そして、板バネ５５の基部５５ａが側板４７に固定されて、先端部５５ｂが側板４７から離隔した状態で突出する。このように、先端部５５ｂがコ字状に形成されるので、不正な外力が加わっても変形しにくいという特徴を有する。
【００３４】
以上のように構成される収納ケース１１は、収納ケース１１の内部にロックプレート１５を挿入してロックする構造なので、従来例のようにホルダーを嵌め合わせる部位が必要ない。また、収納ケース１１の外部から磁石を宛ててロックを解除する仕組みであり、特殊な解錠装置を必要としない。
更に、ロックプレート１５のプレート片４４を挿通部２３から引き抜かないと、ＤＶＤ１９を係止片１６から取り外せない構造なので、仮に収納ケース１１を破壊して無理矢理こじ開けたとしても、ＤＶＤ１９だけを持ち去るのは困難である。
【図面の簡単な説明】
【００３５】
【図１】本発明に係る収納ケース１１の斜視図である。
【図２】収納ケース１１を開いた状態の、本体部１２及び蓋体１４の平面図である。
【図３】本体部１２の斜視図である。
【図４】蓋体１４の斜視図である。
【図５】係止片１６にＤＶＤ１９を係止させる状態の縦断面図である。
【図６】係止片１６にＤＶＤ１９を係止させ、挿通部２３にプレート片４４を挿通した状態の縦断面図である。
【図７】ロックプレート１５の斜視図である。
【図８】ロックプレート１５の斜視図である。
【図９】板バネの他の実施例を示す斜視図である。
【符号の説明】
【００３６】
１１  収納ケース
１２  本体部
１３  ヒンジ部
１４  蓋体
１５  ロックプレート
１６  係止片
１７  外周縁
１８  凹部
１９  ＤＶＤ
１９ａ内周縁
２０  弾性部
２１  段部
２２  背面板
２３  挿通部
２４  凸条部
２５、２６  側板
２７  隙間部
２８  天板
２９、３０  門部
３１  凸部
３２  凸条部
３３、３４  側板
３５  隙間部
３６  小門部
３７  天板
３８  切欠部
３９、４０  門部
４１  柱体
４２  係合部
４３  プレート本体
４４  プレート片
４５  プレート長片
４６  基部板
４７  側板
４８  段差部
４９  プレート短片
５０  係止部
５１  端縁
５２  板バネ
５２ａ基部
５２ｂ先端部
５３  段部
５４  正面板
５５  板バネ
５５ａ基部
５５ｂ先端部
【図１】
2007091261.tif 000003
【図２】
2007091261.tif 000004
【図３】
2007091261.tif 000005
【図４】
2007091261.tif 000006
【図５】
2007091261.tif 000007
【図６】
2007091261.tif 000008
【図７】
2007091261.tif 000009
【図８】
2007091261.tif 000010
【図９】
2007091261.tif 000011